(57)【要約】      （修正有）【課題】経木の寄れやめくり上がりを抑え木材独特の味わいがあり、木の香りや自然のぬくもりを楽しむことが可能となるメモ帳やノートを提供する。【解決手段】経木、あるいは突板で作られた木製の用紙を、表紙の規格サイズにあわせ裁断し、規格サイズの枚数重ね、糸かがりとじ、または無線とじ、または網代とじ、または平とじ、または中とじで製本する。表紙が用紙を一周するように、表紙と用紙を背となる部分でとじた後、とじられた側を覆うように表紙を折りたたんでいき、用紙を一周させ、とじられていない表紙の末端をとじられている側の表紙と用紙の間に差し込んで固定する。【選択図】図１
0003179511.tif 000002
【実用新案登録請求の範囲】
【請求項１】
経木、あるいは突板で出来た木製の用紙を製本したメモ帳あるいはノート
【請求項２】
用紙の歪みやハネ上がりを抑えるパッケージ方法を有する請求項１のメモ帳（ノート）
【考案の詳細な説明】
【技術分野】
【０００１】本考案は、経木（突き板あるいは木製シートとも言う）をメモ帳やノートの用紙としての使用方法および、そのシートがめくれて跳ね上がらないように、メモ帳やノートの紙のハネを抑えてカバーする製本の方法に関するものである。
【背景技術】
【０００２】木材を薄くスライス（０．０３〜１ｍｍ）して得た経木（突き板あるいは木製シートとも言う）は、納豆、団子などを包む材料として使用されてきた。主に食の包装紙として使用されそれ以外の用途はあまり考えられて来なかった。【０００３】経木自体は縦方向に裂け易くかつ横方向の折り曲げによって割れるという性質を有する。また、湿度の変化などによって、寄れて折り曲がったり、めくり上がったりする性質を有する。【０００４】従来は使用しているうちにバラバラにめくり上がってくるメモ帳やノートの用紙を抑える製本方法で、表紙などを工夫することによって解決されれば、非常に便利である。
【考案の概要】
【考案が解決しようとする課題】
【０００５】紙製（パルプ）のメモ帳やノートと違い、木肌、木理を生かした木材独特の味わいがあり、木の香りや自然のぬくもりを楽しむことが可能となるメモ帳やノートを提供することを目的とする。【０００６】本考案の方法で製本することにより、湿度の変化などによる、経木の寄れやめくり上がりを抑える事を目的とする。
【課題を解決するための手段】
【０００７】本発明は、以下（１）と（２）の各考案によって、前記の課題を解決したものである。
（１）経木を任意のサイズにカットし、束ね、製本する。
（２）表紙を請求項１のメモ用紙を一周するように巻く。【０００８】本考案を詳しく説明する。本考案に使用する経木シートは、木材を薄くスライスすることにより、木材の木肌、木目を生かした独特の味わいを残したものである。スライスした木製シートの厚さは０．０３〜１ｍｍ程度である。本明細書では、木材を前記の厚さに薄くスライスしたものを木製シート、経木あるいは突き板と称する。木製シートとして使用することができる木は、シオジ、スギ、ブナ、アカマツ、エゾマツ、シナノキ、モミ、キリ、カラマツ、ヒノキ、ベイマツ、ツガ、ムク、屋久杉、琉球杉またはホオなど、従来の経木、及び各種建材、家具・建具、及び楽器、玩具、文具などに使用される木材である。シート材の製造方法は、木材を、メモ帳として支障のない程度の厚さ（例えば０．１〜１ｍｍ程度、好ましくは０．２ｍｍ程度）に削って経木を作製する。木材を削る場合、柾目、追い柾目、板目等、所望の木目が出るように木取りして削ることが可能である。【０００９】製本方法としては、従来のノートの製本方法と変わらず、糸かがりとじ、無線とじ、網代とじ、平とじ、中とじなどにて実施する。【００１０】表紙として使用する材は、厚紙やダンボール、布、経木など一般的に表紙として使用できる素材を使用する。【００１１】表紙が用紙を一周する様に取り付ける。その際、綴じた部分が表紙で隠せる様にする。そのため、ホッチキスなどで止めたとしても、止めた部分が外側から見えない様になっている。また、綴じられていない側も表紙が用紙を抑える事ができる形態となっている。
【考案の効果】
【００１２】メモやノートの用紙自体が木製のため、木肌、木目を生かした木材独特の味わいがあり、木の香りや自然のぬくもりを楽しむことが可能となる。【００１３】メモ帳やノートの捲る側も表紙によって抑えられるため、ハネ上がりを抑える事ができる。
【図面の簡単な説明】
【００１４】
【図１】今回の発明の斜視図および、表紙を閉じた際の側面図である。
【図２】図１の表紙が閉じていない状態の斜視図である。
【図３】図２の表紙を開いた状態の斜視図である。
【図４】図３の表紙を開いた状態の斜視図である。
【図５】図４の表紙を開いた状態の斜視図である。
【図６】経木のメモ用紙のはね上がりや寄りを描写した図である。
【符号の説明】
【００１５】１経木のメモ用紙
２表紙
３表紙の綴じ部分
４表紙
５経木のメモ用紙の綴じられていない側
６表紙
７とめ具（ホッチクスや糸、紐等）
８表紙（メモ用紙の背との接点）
９経木の用紙の背
１０とめ具
１１経木の用紙がはねてしまっている状態
１２経木の用紙が寄ってしまっている状態
１３経木のメモ用紙の綴じられていない側の表紙の接点
【考案を実施するための形態】
【００１６】以下に、本発明について、発明の実施の形態を図面で説明するが、本発明は、これに限定されるものではない。
図１は、今回の発明の完成図である。図１の１は製本されている経木のメモ用紙である。図１の２は表紙である。図１の３は請求項１および請求項２の方法でつくられたメモ帳の表紙の閉じ方であり、表紙の末端をメモ用紙が綴じられている側の表紙とメモ用紙の間に差し込む事によって実現できる。
【００１７】図２は、図１の表紙が閉じていない状態を描いている。表紙の末端が差し込みから外れた際の図である。図３は、図２の４の部分を開いた図である。
図３の５は製本されていない（綴じられていない）側であり、その側面も表紙で覆う形態となっている。
【００１８】図４は図３の表紙の部分を開いた図となる。図４の６と７は折り返されて２重になっている。図４の７の部分がメモ用紙と接している。折り返されて６の部分が重なる様になっている。これにより、図４の７にてホッチキスや糸、縄、紐などで止めていても、６が重なる事によって外側から止めている部分（ホッチキスや糸、縄、紐）が見えない構造になっている。図４の８と９の部分は、製本の背の部分となる。図４の９は糸かがりとじ、中とじ、平とじ、無線とじ、網代とじ等で綴じられている。図５は、図４をさらに開いた図となる。図５の１０は平とじで綴じられた際を例示している。
【００１９】図６は図２の表紙を開いた図であり、図３までは至らない図である。
図６の１１は、経木のメモ用紙がめくり上がってしまっている状態を例示している。図６の１２は経木のメモ用紙が寄れてしまっている状態を例示している。図６を図２の状態にすることによって、図６の１３の部分が、経木のメモ用紙のめくり上がりや寄れを抑える。
【図１】
0003179511.tif 000003
【図２】
0003179511.tif 000004
【図３】
0003179511.tif 000005
【図４】
0003179511.tif 000006
【図５】
0003179511.tif 000007
【図６】
0003179511.tif 000008
【手続補正書】
【提出日】平成24年8月15日(2012.8.15)
【手続補正１】
【補正対象書類名】実用新案登録請求の範囲
【補正対象項目名】全文
【補正方法】変更
【補正の内容】
【実用新案登録請求の範囲】
【請求項１】
経木、あるいは突板で作られた木製の用紙を、表紙の規格サイズにあわせ裁断し、規格サイズの枚数重ね、糸かがりとじ、または無線とじ、または網代とじ、または平とじ、または中とじで製本した事を特徴とするメモ帳あるいはノート。
【請求項２】
表紙が用紙を一周するように、表紙と用紙を背となる部分でとじた後、とじられた側を覆うように表紙を折りたたんでいき、用紙を一周させ、とじられていない表紙の末端をとじられている側の表紙と用紙の間に差し込んで固定する事を特徴とする、請求項１に記載のメモ帳あるいはノート。